(57)【特許請求の範囲】
【請求項１】
貯蔵室を形成する本体と、
前記本体の後壁との間に、冷気が流れる冷却通路を形成するとともに、機能品を収容する背面カバーと、
前記本体から前記貯蔵室側へ突出して前記本体に固定され、前記本体との間に取り付けられている可撓性のパッキンを有し、前記可動カバーを前記本体に支持する支持部材と、を備え、
前記背面カバーは、
前記本体に固定され、前記機能品を覆っている固定カバーと、
前記パッキンの外径よりもやや大きく前記支持部材に嵌め込まれる穴部を有し、前記固定カバーへ着脱可能に嵌め込まれている可動カバーと、
を有することを特徴とする冷蔵庫。
【請求項２】
前記本体は、複数の貯蔵室を形成し、
前記複数の貯蔵室に前記固定カバーおよび前記可動カバーを有する前記背面カバーがそれぞれ設けられていることを特徴とする請求項１記載の冷蔵庫。
【請求項３】
前記可動カバーは、循環する冷気を吸入する吸入口、および冷気を吹き出す吹出口を一体に有していることを特徴とする請求項１または２記載の冷蔵庫。
【請求項４】
前記固定カバーは、前記背面カバーを前記本体へ固定するための固定部を有していることを特徴とする請求項１から３のいずれか一項記載の冷蔵庫。
【請求項５】
前記背面カバーは、凝縮した水を案内する樋部を有し、
前記固定カバーと前記可動カバーとの境界は、前記樋部よりも重力方向下方に位置していることを特徴とする請求項１から４のいずれか一項記載の冷蔵庫。
【請求項６】
前記貯蔵室の内部に設けられ、前記貯蔵室を仕切る複数の棚板部材をさらに備え、
前記可動カバーは、前記複数の棚板部材の間に位置していることを特徴とする請求項１から５のいずれか一項記載の冷蔵庫。
【発明の詳細な説明】
【技術分野】
【０００１】
本発明は、冷蔵庫に関する。
【背景技術】
【０００２】
冷蔵庫は、貯蔵室の背部に背面カバーを備えている。背面カバーは、貯蔵室を形成する本体の後壁との間に冷気が流れる冷却通路を形成する。背面カバーは、冷気が流れる冷却通路を形成するとともに、この冷却通路に例えば冷却器、ファンおよび電気配線などの機能品を収容している。機能品を背面カバーで覆うことにより、機能品に使用者の手が触れることを防止し、安全性を高めている。この背面カバーは、部品点数の低減、および部品点数の低減にともなう金型の削減などを目的として一体に成形されている（例えば、特許文献１参照）。
【０００３】
しかしながら、背面カバーに覆われている部品を修理あるいは交換する場合、一体の背面カバーを取り外す必要がある。そのため、背面カバーに覆われている部品の修理や交換などの取り扱いが繁雑になるという問題がある。また、背面カバーは、例えばボルトなどの固定部材で本体に固定されている。そのため、背面カバーを取り外す場合、固定部材を取り外すための工具を必要とし、作業の煩雑化を招くという問題がある。
【特許文献１】特表２００２−５０４６６２号公報
【発明の開示】
【発明が解決しようとする課題】
【０００４】
そこで、本発明は、上記の課題に鑑みてなされたものであり、その目的は、安全性を高めつつ取り扱いが容易な冷蔵庫を提供することにある。
【課題を解決するための手段】
【０００５】
上記の課題を解決するため、本発明の冷蔵庫は、貯蔵室を形成する本体と、前記本体の後壁との間に、冷気が流れる冷却通路を形成するとともに、機能品を収容する背面カバーと、前記本体から前記貯蔵室側へ突出して前記本体に固定され、前記本体との間に取り付けられている可撓性のパッキンを有し、前記可動カバーを前記本体に支持する支持部材と、を備え、前記背面カバーは、前記本体に固定され、前記機能品を覆っている固定カバーと、前記パッキンの外径よりもやや大きく前記支持部材に嵌め込まれる穴部を有し、前記固定カバーへ着脱可能に嵌め込まれている可動カバーと、を有することを特徴とする。
【発明の効果】
【０００６】
固定カバーは、本体の後壁の一部を覆っている。そのため、冷却通路に設けられている機能品は固定カバーに覆われており、機能品に使用者の手が触れることはない。一方、可動カバーは、固定カバーへ着脱可能に嵌め込まれている。そのため、可動カバーは、例えば工具などを用いることなく容易に固定カバーから取り外される。また、可動カバーは、背面カバーの一部を構成している。そのため、背面カバーの一部の可動カバーのみを取り外すことにより、例えば機能品の修理や交換が可能となる。その結果、最小限の部品を取り外すだけで、可動カバーの取り外しが可能となる。したがって、安全性を高めつつ、取り扱いを容易にすることができる。
【発明を実施するための最良の形態】
【０００７】
以下、本発明の一実施形態による冷蔵庫について図面に基づいて説明する。
まず、図２および図３を参照して冷蔵庫１０の概略を説明する。冷蔵庫１０は、本体１１を備えている。本体１１は、図示しない鋼板製の外箱と、樹脂製の内箱と、これらの間に充填された断熱材とから構成されている。本体１１は、側壁１２、側壁１３、天壁１４、底壁１５、後壁１６、仕切壁１７および仕切壁１８を有している。側壁１２、側壁１３、天壁１４および後壁１６は、箱状の容器を形成している。仕切壁１７および仕切壁１８は、天壁１４および底壁１５と平行に設けられ、本体１１が形成する空間を複数の部屋に仕切っている。具体的には、本体１１は、上方から順に貯蔵室としての冷蔵室２１、左右に設けられている製氷室２２および切替室２３、ならびに冷凍室２４を形成している。これら冷蔵室２１、製氷室２２、切替室２３および冷凍室２４は、内箱の内部を断熱して仕切ることにより形成される。仕切壁１７は、冷蔵室２１と製氷室２２および切替室２３との間を仕切っている。また、仕切壁１８は、製氷室２２および切替室２３と冷凍室２４との間を仕切っている。切替室２３は、冷凍室としてもよい。冷蔵庫１０は、冷蔵室２１を形成する天壁１４に開扉装置２５、仕切壁１８の下側に開扉装置２６をそれぞれ備えている。
【０００８】
冷蔵室２１は、観音開き式の扉３１、３２によって閉鎖されている。また、製氷室２２、切替室２３および冷凍室２４は、それぞれ引き出し式の容器が収容されている。具体的には、製氷室２２には製氷容器３３、切替室２３には切替容器３４、および冷凍室２４には冷凍容器３５がそれぞれ収容されている。冷凍容器３５は、多段の容器３５１、３５２、３５３によって構成されている。製氷室２２、切替室２３および冷凍室２４は、それぞれ前面部を構成する扉３６、３７、３８で前方が閉鎖されている。このように、冷蔵庫１０は、後壁１６と反対の前面部に扉３１、３２、３６、３７、３８を有している。開扉装置２５は、扉３１および扉３２を前方へ押し出す。開扉装置２５は、扉３１および扉３２を前方へ押し出すことにより、冷蔵室２１を閉鎖している扉３１および扉３２を開放する。冷蔵室２１を閉鎖する扉３１および扉３２には、それぞれ押しボタン式の開扉スイッチ３９が設けられている。開扉スイッチ３９を押すことにより、開扉装置２５はそれぞれ対応する側の扉３１、３２を開放する。扉３１、３２は、手動でも開閉可能である。開扉装置２６は、扉３８を前方へ押し出す。開扉装置２６は、扉３８を前方へ押し出すことにより、冷凍室２４を閉鎖する扉３８を開放する。冷凍室２４を閉鎖する扉３８には、押しボタン式の開扉スイッチ４１が設けられている。この開扉スイッチ４１を押し込むことにより、開扉装置２６は扉３８を開放する。扉３８は、手動でも開閉可能である。なお、開扉装置２６は、冷凍室２４に収容されている冷凍容器３５の後壁１６側に設けてもよい。
【０００９】
冷蔵庫１０の冷蔵室２１には、複数の棚板４２、４３、４４が設けられている。また、冷蔵室２１には、棚板４４の下方に棚４５が設けられている。棚４５の下方には、収納容器４６が設けられている。収納容器４６は、冷蔵室２１に収容され、冷蔵庫１０の前後方向へ移動可能に設けられている。本明細書では、冷蔵庫１０の扉３１、３２、３６、３７、３８側を前方とし、後壁１６側を後方としている。収納容器４６の下方には、仕切板４７を挟んでチルド容器４８が設けられている。このチルド容器４８も、冷蔵庫１０の前後方向へ引き出し可能である。チルド容器４８の側方には、図示しない自動製氷装置用の給水タンクが設けられている。仕切板４７は、冷蔵室２１の幅方向すなわち図３の左右方向へ伸びて冷蔵室２１を上下に仕切っている。棚板４４および棚４５は、特許請求の範囲の棚板部材を構成している。
【００１０】
冷蔵庫１０は、図２に示すように冷蔵室２１の後壁１６側に冷却装置５０を備えている。冷却装置５０は、圧縮機５１、冷却器５２および冷却器５３を有している。圧縮機５１は、冷蔵庫１０の下端部において後壁１６側、すなわち冷凍室２４の後方に設けられている。冷却器５２は、冷蔵室２１の後壁１６側に設けられている。また、冷却器５３は、冷凍室２４の後壁１６側に設けられている。
【００１１】
次に、背面カバーについて詳細に説明する。
冷蔵庫１０は、冷蔵室２１において後壁１６との間に上側背面カバー６０および下側背面カバー８０を備えている。すなわち、上側背面カバー６０および下側背面カバー８０は、冷蔵室２１の後方において後壁１６との間に冷却器５２を収容する冷却通路６１を形成している。上側背面カバー６０は、冷却器５２だけでなくファン５４を収容している。上側背面カバー６０は、ファン５４によって冷気を吹き出す吹出口６２を有している。下側背面カバー８０は、冷気を吸入する吸入口８１を有している。ファン５４が駆動されることにより、吸入口８１から吸入された冷気は冷却器５２を経由して吹出口６２から排出される。吸入口８１から吸入された冷気は、冷却器５２を通過することにより冷却され、吹出口６２から冷蔵室２１へ吹き出す。このように、上側背面カバー６０および下側背面カバー８０は、冷却通路６１を形成するとともに、冷却器５２およびファン５４を収容している。また、上側背面カバー６０の前方側には、化粧カバー６３が取り付けられている。化粧カバー６３は、上端部に吹出口６２から吹き出した冷気を冷蔵室２１へ案内する開口６４が設けられている。上側背面カバー６０には、冷蔵室２１内を照明するための図示しない照明具や図示しない配線部材が設けられている。これら冷却器５２、ファン５４、照明具および配線部材などは、特許請求の範囲の機能品を構成している。なお、上面背面カバー６０と後壁１６との間には、機能品として除霜用のヒータを設けてもよい。
【００１２】
上側背面カバー６０は、図１および図４に示すように上側固定カバー６５および上側可動カバー６６を有している。上側固定カバー６５は、固定部６７において例えばボルトなどにより後壁１６に固定されている。ファン５４および吹出口６２は、上側固定カバー６５に設けられ、上側固定カバー６５とともに本体１１の後壁１６に固定されている。上側可動カバー６６は、上側固定カバー６５に対し着脱可能に設けられている。すなわち、上側可動カバー６６は、上側固定カバー６５が形成する開口６８の内側に取り付けられる。上側可動カバー６６は、爪部６９を有しており、爪部６９が開口６８を形成する上側固定カバー６５に嵌め込まれることにより上側固定カバー６５に保持される。上側可動カバー６６を上側固定カバー６５が形成する開口の前方すなわち扉３１、３２側から押し込むことにより、爪部６９が上側固定カバー６５に係止される。これにより、上側可動カバー６６は、上側固定カバー６５に取り付けられる。また、上側可動カバー６６は、樹脂で形成されており、容易に撓む。そのため、上側可動カバー６６をわずかに撓ませることにより、爪部と上側固定カバー６５との係合は解除される。これにより、上側可動カバー６６は、上側固定カバー６５から容易に取り外すことができる。このように、上側可動カバー６６は、特別な工具などを用いることなく、上側固定カバー６５に対し容易に着脱可能である。
【００１３】
上側固定カバー６５は、図示しないボルトなどの固定部材が取り付けられる固定部６７を有している。上側固定カバー６５は、固定部材によって後壁１６に固定されている。そのため、上側固定カバー６５および上側可動カバー６６は、一体に組み付けられた状態で後壁１６に取り付けられる。これにより、上側背面カバー６０の後壁１６への取付は容易になる。また、固定部材を取り外して上側固定カバー６５を後壁１６から取り外すと、上側固定カバー６５に嵌め込まれている上側可動カバー６６も後壁１６から取り外される。すなわち、上側背面カバー６０を構成している上側固定カバー６５および上側可動カバー６６は、上側固定カバー６５の固定部６７において上側固定カバー６５を後壁１６に固定している固定部材を取り外すことにより、一体となって後壁１６から取り外される。
【００１４】
上側固定カバー６５は、冷蔵室２１側に樋部７１を有している。冷蔵室２１を循環する冷気に含まれる水分は、冷却器５２を通過する際に凝結あるいは霜となって付着する。冷却器５２で凝結または霜となって付着した水は、例えば冷却器５２への冷媒の供給停止中にファン５４を回転させることで昇華あるいは溶融し、冷蔵室２１の後壁１６に設けられている排水部７２に収集される。また、冷却器５２に近接している上側固定カバー６５の冷蔵室２１側にも、冷気に含まれる水分が凝結あるいは霜となって付着する。上側固定カバー６５は、化粧カバー６３と対向する冷蔵室２１側に樋部７１を有している。上側固定カバー６５に付着した水滴は、重力によって上側固定カバー６５に沿って下方へ落下し、樋部７１に収集され、排水部７２へ排出される。排水部７２に収集された水は、図示しない案内通路を経由して圧縮機５１側へ導かれる。これにより、排出された水は、圧縮機５１の熱により水蒸気となって空気中へ排出される。上側固定カバー６５と上側可動カバー６６との境界は、この樋部７１よりも下方に位置している。そのため、上側固定カバー６５に凝結または溶融した水は、上側固定カバー６５と下側固定カバー８２との境界に至るまでに樋部７１に収集される。これにより、上側背面カバー６０を上側固定カバー６５と下側固定カバー８２とに分割する場合でも、凝結または溶融した水は樋部７１に収集され、これらの境界から漏出するおそれがない。また、上側可動カバー６６は、冷蔵室２１の後壁１６側において棚板４４と棚４５との間に位置している。そのため、上側可動カバー６６を取り外すとき、棚板４４および棚４５を本体１１から取り外す必要がない。
【００１５】
同様に、下側背面カバー８０は、下側固定カバー８２および下側可動カバー８３を有している。下側固定カバー８２は、本体１１の仕切壁１７と上側背面カバー６０との間に嵌め込まれている。吸入口８１は、下側固定カバー８２および下側可動カバー８３にそれぞれ設けられている。また、下側固定カバー８２には、脱臭装置８４が取り付けられている。下側可動カバー８３は、下側固定カバー８２に対し着脱可能に設けられている、すなわち、下側可動カバー８３は、下側固定カバー８２が形成する開口８５の内側に取り付けられる。下側可動カバー８３は、爪部８６を有しており、爪部８６が開口８５を形成する下側固定カバー８２に嵌め込まれることにより下側固定カバー８２に保持される。下側可動カバー８３は、上述の上側可動カバー６６と同様に上側固定カバー６５に押し込むことにより取り付けられ、わずかに撓ませることにより取り外される。したがって、下側可動カバー８３についても、特別な工具などを用いることなく、下側固定カバー８２に対し容易に着脱可能である。
【００１６】
脱臭装置８４は、電極間に高電圧を印加することによりオゾンを発生させて吸い込まれた空気を脱臭する。脱臭装置８４の近傍には、温度センサ８７が設けられている。温度センサ８７は、冷蔵室２１の温度を検出する。温度センサ８７も機能品を構成している。脱臭装置８４は、上述のように高電圧が印加される。そのため、下側固定カバー８２で脱臭装置８４を覆うことにより、使用者の手が脱臭装置８４に触れることが防止される。温度センサ８７は、下側固定カバー８２の開口８５の近傍に設けられている。温度センサ８７は低電圧で作動するため、下側固定カバー８２の開口８５の近傍に設けても安全性が低下するおそれがない。一方、温度センサ８７を下側固定カバー８２の開口８５の近傍に配置することにより、温度センサ８７の交換や修理が容易となる。その結果、温度センサ８７のメンテナンス性が向上する。
【００１７】
さらに、冷蔵庫１０は、図２、図５および図６に示すように製氷室２２、切替室２３および冷凍室２４において後壁１６側に背面カバー９０を備えている。すなわち、背面カバー９０は、製氷室２２、切替室２３および冷凍室２４の後方において後壁１６との間に冷却器５３を収容する冷却通路９１を形成している。このように、冷蔵庫１０は、冷蔵室２１を冷却する冷却器５２と、製氷室２２、切替室２３および冷凍室２４を冷却する冷却器５３とが独立して設けられている。背面カバー９０は、図５に示すように冷却器５３だけでなくファン５６および除霜用ヒータ５７を収容している。背面カバー９０は、二層構造となっており、後壁１６との間に冷却通路９１を形成するとともに、前方側に送風通路９２を形成している。背面カバー９０は、冷気を吹き出す吹出口９３、９４、９５、９６、９７および冷気を吸入する吸入口９８を有している。吹出口９３、９４、９５、９６、９７は、送風通路９２に接続して製氷室２２、切替室２３および冷凍室２４に対応してそれぞれ設けられている。吸入口９８は、冷凍室２４の吹出口９７と隣り合って背面カバー９０の下端部に設けられている。ファン５６が駆動されることにより、吸入口９８から吸入された冷気は冷却通路９１に設けられた冷却器５３、および送風通路９２を経由して各吹出口９３、９４、９５、９６、９７から排出される。吸入口９８から吸入された冷気は、冷却通路９１に設けられた冷却器５３を通過することにより冷却され、送風通路９２に接続する各吹出口９３、９４、９５、９６、９７から製氷室２２、切替室２３または冷凍室２４へ吹き出す。除霜用ヒータ５７は、通電することにより発熱し、背面カバー９０に付着した霜を溶かす。このように、背面カバー９０は、冷却通路９１を形成するとともに、冷却器５３、ファン５６および除霜用ヒータ５７を収容している。これら冷却器５３、ファン５６および除霜用ヒータ５７は、特許請求の範囲の機能品を構成している。
【００１８】
背面カバー９０は、図６および図７に示すように固定カバー１０１および可動カバー１０２を有している。固定カバー１０１は、例えばボルトなどにより後壁１６に固定されている。可動カバー１０２は、固定カバー１０１に対し着脱可能に設けられている。すなわち、可動カバー１０２は、固定カバー１０１の下端部において内側に嵌め込まれることにより固定カバー１０１に保持される。図８および図９に示すように本体１１の後壁１６には、支持部材としてのボルト１０３が取り付けられている。ボルト１０３は、本体１１の後壁１６に固定されている。このボルト１０３と後壁１６との間には、パッキン１０４が取り付けられている。パッキン１０４は、例えばゴムなどの可撓性の材料で形成されている。可動カバー１０２は、図９に示すようにこのボルト１０３に対応する部分に穴部１０５を有している。穴部１０５の内径は、パッキン１０４の外径よりもやや大きい。パッキン１０４は上述のように可撓性であるため、可動カバー１０２を前方から押し付けることにより、パッキン１０４は穴部１０５の径方向内側へ変形して穴部１０５の内側へ挿入される。これにより、可動カバー１０２は、固定カバー１０１の内側に固定カバー１０１と一体に取り付けられる。一方、可動カバー１０２を前方へ引っ張ると、可撓性のパッキン１０４は変形して、可動カバー１０２はボルト１０３から取り外される。これにより、可動カバー１０２は、後壁１６および固定カバー１０１から取り外される。このように、可動カバー１０２は、特別な工具などを用いることなく、固定カバー１０１に対し容易に着脱可能である。
【００１９】
固定カバー１０１は、図６に示すように可動カバー１０２の穴部１０５とは別に、ボルトなどの固定部材１０６が取り付けられる固定部１０７を有している。固定カバー１０１は、固定部材１０６によって後壁１６に固定されている。そのため、固定部材１０６を取り外して固定カバー１０１を後壁１６から取り外すとともに、可動カバー１０２を引っ張ることで穴部１０５とパッキン１０４との嵌め合わせを解除することにより、固定カバー１０１に嵌め込まれている可動カバー１０２も固定カバー１０１と一体となって後壁１６から取り外される。すなわち、背面カバー９０を構成している固定カバー１０１および可動カバー１０２は、固定カバー１０１の固定部１０７において固定カバー１０１を後壁１６に固定している固定部材１０６を取り外すことにより、一体となって後壁１６から取り外される。
【００２０】
可動カバー１０２は、循環する冷気を吸入する吸入口９８と冷凍室２４へ冷気を吹き出す吹出口９６、９７とを一体に有している。これにより、可動カバー１０２は、吸入口９８から吸入された冷気が流れる通路と吹出口９６、９７から吹き出す冷気が流れる通路との間を図示しない仕切壁によって仕切っている。すなわち、可動カバー１０２は、自身が有する仕切壁により単体で吹出口９６、９７側と吸入口９８側とを仕切っている。そのため、吹出口９６、９７側と吸入口９８側とは、仕切壁により確実に仕切られる。その結果、吸入口９８から吸入された比較的温度の高い冷気と、吹出口９６、９７から吹き出す比較的温度の低い冷気との混合が低減される。
【００２１】
吹出口９５および吹出口９６の近傍には、それぞれ温度センサ９９が設けられている。温度センサ９９は、冷凍室２４の温度を検出する。温度センサ９９は、可動カバー１０２に設けられており、可動カバー１０２と一体に固定カバー１０１から取り外される。温度センサ９９は、作動電圧が低く設定されているため、可動カバー１０２に設けても安全性の低下を招かない。
可動カバー１０２は、上端部が仕切壁１８よりもやや下方に位置している。そのため、冷凍室２４に収容されている冷凍容器３５を取り外すことにより、固定カバー１０１から可動カバー１０２を取り外すことができる。すなわち、冷凍室２４の後壁１６側に設けられている可動カバー１０２は、仕切壁１８によって取り外しが妨げられない。
【００２２】
以上説明したように、本発明の一実施形態では、上側固定カバー６５および下側固定カバー８２は、冷蔵室２１における後壁１６の一部を覆っている。そのため、冷却通路６１に設けられている冷却器５２、ファン５４、脱臭装置８４、温度センサ８７、照明具および配線部材などの機能品は上側固定カバー６５および下側固定カバー８２に覆われている。また、固定カバー１０１は、冷凍室２４における後壁１６の一部を覆っている。そのため、冷却通路９１に設けられている冷却器５３、ファン５６および除霜用ヒータ５７などの機能品は固定カバー１０１に覆われている。これにより、冷却器５２、５３、ファン５４、５６脱臭装置８４および除霜用ヒータ５７などの機能品に使用者の手が触れることはない。一方、上側可動カバー６６は上側固定カバー６５へ、下側可動カバー８３は下側固定カバー８２へ、および可動カバー１０２は固定カバー１０１へそれぞれ着脱可能に嵌め込まれている。そのため、上側可動カバー６６、下側可動カバー８３および可動カバー１０２は、いずれも例えば工具などを用いることなく容易に上側固定カバー６５、下側固定カバー８２または固定カバー１０１から取り外される。また、上側可動カバー６６、下側可動カバー８３および可動カバー１０２は、それぞれ上側背面カバー６０、下側背面カバー８０または背面カバー９０の一部を構成している。そのため、上側背面カバー６０、下側背面カバー８０または背面カバー９０から、それぞれ上側可動カバー６６、下側可動カバー８３または可動カバー１０２のみを取り外すことにより、例えば後壁１６との間に収容されている温度センサ８７や温度センサ９９の修理や交換が可能となる。その結果、最小限の部品を取り外すだけで、上側可動カバー６６、下側可動カバー８３または可動カバー１０２の取り外しが可能となる。したがって、安全性を高めつつ、取り扱いを容易にすることができる。
【００２３】
本発明の一実施形態では、冷蔵室２１に冷却器５２、および冷凍室２４に冷却器５３がそれぞれ設けられている。一方、上側背面カバー６０および下側背面カバー８０は冷蔵室２１に設けられ、背面カバー９０は冷凍室２４側に設けられている。このように、上側背面カバー６０および下側背面カバー８０と背面カバー９０とは、それぞれ各冷却器５２、５３で冷却された冷気が供給される部屋ごとに設けられている。したがって、複数の冷却器５２または冷却器５３で冷却した空気を冷蔵室２１または冷凍室２４へ個別に供給する場合でも、上側背面カバー６０、下側背面カバー８０および背面カバー９０を固定側と可動側とに分割することができる。
【００２４】
本発明の一実施形態では、冷凍室２４に設けられている可動カバー１０２は穴部１０５を経由してボルト１０３に嵌め込むことにより、固定カバー１０１が固定されている本体１１に取り付けられる。ボルト１０３は、本体１１の後壁１６に固定されている。そのため、可動カバー１０２を取り外したときでも、ボルト１０３は本体１１の後壁１６に残っている。このボルト１０３にパッキン１０４を設け、パッキン１０４の可撓性を利用して可動カバー１０２は着脱される。したがって、可動カバー１０２を固定カバー１０１とともに本体１１に支持しつつ、可動カバー１０２を容易に取り外すことができる。
【００２５】
本発明の一実施形態では、冷凍室２４に設けられている可動カバー１０２は、吹出口９６、９７と吸入口９８が一体に形成されている。そのため、吸入口９８から吸入される冷気と吹出口９６、９７から吹き出す冷気との間は、一体の可動カバー１０２によって仕切られている。したがって、吸入口９８から吸入された比較的温度の高い冷気と、吹出口９６、９７から吹き出す比較的温度の低い冷気とのシール性の確保が容易であり、冷気の混合を低減することができる。
【００２６】
本発明の一実施形態では、上側固定カバー６５に固定部６７が設けられ、固定カバー１０１に固定部１０７が設けられている。そのため、冷蔵室２１において、上側固定カバー６５と上側可動カバー６６とが一体に取り付けられているとき、上側固定カバー６５の固定部６７を操作することにより、上側背面カバー６０は上側固定カバー６５と上側可動カバー６６とが一体となって本体１１から取り外される。また、冷凍室２４において、固定カバー１０１と可動カバー１０２とが一体に取り付けられているとき、固定カバー１０１の固定部１０７を操作することにより、背面カバー９０は固定カバー１０１と可動カバー１０２とが一体となって本体１１から取り外される。したがって、上側背面カバー６０の着脱および背面カバー９０の着脱時における取り扱いを容易にすることができる。
【００２７】
本発明の一実施形態では、冷蔵室２１に設けられている上側固定カバー６５と上側可動カバー６６との境界は、凝縮した水を案内する樋部７１よりも重力方向において下方に位置している。そのため、冷却器５２に近接して配置される上側固定カバー６５で凝結した水は、上側固定カバー６５側から上側可動カバー６６側へ落下することなく樋部７１へ案内される。したがって、冷蔵室２１への水漏れ、冷気の漏れを低減することができる。
【００２８】
本発明の一実施形態では、上側可動カバー６６は棚板４４と棚４５との間に設けられている。そのため、上側可動カバー６６は、棚板４４および棚４５を本体１１から取り外すことなく、上側固定カバー６５から取り外される。したがって、上側可動カバー６６の取り扱いを容易にすることができる。また、可動カバー１０２は、上端部が仕切壁１８よりもやや下方に位置している。そのため、可動カバー１０２は、冷凍室２４から冷凍容器３５を取り外すだけで固定カバー１０１から取り外される。したがって、可動カバー１０２の取り扱いを容易にすることができる。
【００２９】
（その他の実施形態）
以上説明した本発明の一実施形態では、本体１１を大きく冷蔵室２１および冷凍室２４とに仕切り、冷蔵室２１および冷凍室２４にそれぞれ冷却器５２または冷却器５３を配置する例について説明した。しかし、単一の冷却器により、冷蔵室２１および冷凍室２４に冷気を供給する冷蔵庫に本発明を適用してもよい。また、冷蔵庫１０の貯蔵室を構成する冷蔵室２１、冷凍室２４、製氷室２２および切替室２３の位置や配置、ならびに貯蔵室の数などは、任意に変更することができる。
【図面の簡単な説明】
【００３０】
【図１】本発明の一実施形態による冷蔵庫の上側背面カバーおよび下側背面カバーの構成を示す概略図
【図２】図３のII−II線における断面図
【図３】本発明の一実施形態による冷蔵庫の概略を示す正面図
【図４】本発明の一実施形態による冷蔵庫において冷蔵室を拡大して示す断面図
【図５】本発明の一実施形態による冷蔵庫において冷凍室の近傍を図６のＶ−Ｖ線で切断した断面を示す断面図
【図６】本発明の一実施形態による冷蔵庫において冷凍室の内部に設けられた背面カバーを示す正面図
【図７】本発明の一実施形態による冷蔵庫の背面カバーの構成を示す概略図
【図８】本発明の一実施形態による冷蔵庫において冷凍室の近傍を図６のVIII−VIII線で切断した断面を示す断面図
【図９】図８においてボルトの近傍を拡大した断面図
【符号の説明】
【００３１】
図面中、１０は冷蔵庫、１１は本体、１６は後壁、２１は冷蔵室（貯蔵室）、２２は製氷室（貯蔵室）、２３は切替室（貯蔵室）、２４は冷凍室（貯蔵室）、４４は棚板（棚板部材）、４５は棚（棚板部材）、５２、５３は冷却器（機能品）、５４、５６はファン（機能品）、５７は除霜用ヒータ（機能品）、６０は上側背面カバー、６１は冷却通路、６５は上側固定カバー、６６は上側可動カバー、６７は固定部、７１は樋部、８０は下側背面カバー、８２は下側固定カバー、８３は下側可動カバー、９０は背面カバー、９１は冷却通路、９６、９７は吹出口、９８は吸入口、１０１は固定カバー、１０２は可動カバー、１０３はボルト（支持部材）、１０５は穴部、１０７は固定部を示す。
【図１】
0005288869.tif 000002
【図２】
0005288869.tif 000003
【図３】
0005288869.tif 000004
【図４】
0005288869.tif 000005
【図５】
0005288869.tif 000006
【図６】
0005288869.tif 000007
【図７】
0005288869.tif 000008
【図８】
0005288869.tif 000009
【図９】
0005288869.tif 000010